(57)【要約】【課題】  エレベーターに子どものみが乗車した場合においても、円滑かつ安心してエレベーターを利用することができるエレベーター案内装置の提供。【解決手段】  エレベーター案内装置が、乗りかごに画像表示器または音声出力器を備え、エレベーター利用者に対する画像案内を画像表示器に表示し、またはエレベーター利用者に対する音声案内を音声出力器から出力するものであって、乗りかごの内部の画像を取得するカメラを備え、カメラによって取得される画像に基づいて、乗りかごに乗るエレベーター利用者が子どもであるかを判定し、子どもであると判定したら（Ｓ１１１）、画像案内または音声案内の少なくともいずれかを子ども用画像案内または子ども用音声案内に設定し（Ｓ１１２）、子どもの乗車から降車までの間、子ども用画像案内を画像表示器に表示し、または子ども用音声案内を音声出力器から出力する。 【選択図】図６
2018100159.tif 000002
【特許請求の範囲】
【請求項１】
乗りかごに画像表示器または音声出力器を備え、エレベーター利用者に対する画像案内を前記画像表示器に表示し、または前記エレベーター利用者に対する音声案内を前記音声出力器から出力するエレベーター案内装置であって、
前記乗りかごの内部の画像を取得するカメラを備え、
前記カメラによって取得される画像に基づいて、前記乗りかごに乗る前記エレベーター利用者が子どもであるかを判定し、
子どもであると判定したら、前記画像案内または前記音声案内の少なくともいずれかを子ども用画像案内または子ども用音声案内に設定し、
前記子どもの乗車から降車までの間、前記子ども用画像案内を前記画像表示器に表示し、または前記子ども用音声案内を前記音声出力器から出力することを特徴とするエレベーター案内装置。
【請求項２】
請求項１に記載のエレベーター案内装置であって、
前記画像表示器を備える場合、
前記子ども用画像案内は、表示領域が高さ方向で上部になるほど幅が広くなるように案内情報が変形されていることを特徴とするエレベーター案内装置。
【請求項３】
請求項２に記載のエレベーター案内装置であって、
前記画像表示器と前記子どもとの距離に応じて、前記表示領域の高さ方向の上部と下部との幅の比を変化させることを特徴とするエレベーター案内装置。
【請求項４】
請求項１に記載のエレベーター案内装置であって、
前記画像表示器および前記音声出力器を備える場合、
前記子ども用画像案内が表示する案内情報は、かな文字のみからなる文字情報であり、
前記子ども用音声案内は、一般用音声案内よりも平易に表現されており、前記子どもが乗車してドアが閉まるまでの間、および目的階に到着して前記ドアが開くまでの間に、各々所定の音声案内を行うことを特徴とするエレベーター案内装置。
【請求項５】
請求項１に記載のエレベーター案内装置であって、
前記カメラによって取得される画像に基づいて、前記乗りかごに乗る前記エレベーター利用者の身長および頭身を計測し、計測される前記身長または前記頭身の少なくともいずれかに基づいて、前記エレベーター利用者が子どもであるかを判定することを特徴とするエレベーター案内装置。
【請求項６】
請求項１に記載のエレベーター案内装置であって、
前記カメラによって取得される前記画像に基づいて、前記乗りかごに乗る前記エレベーター利用者が子どものみであるかを判定し、
子どものみであると判定したら、前記画像案内および前記音声案内をそれぞれ前記子ども用画像案内および前記子ども用音声案内に設定することを特徴とするエレベーター案内装置。
【請求項７】
画像表示器を備え、前記画像表示器に画像案内を表示する画像案内装置であって、
前記画像表示器を閲覧する対象である利用者が子どもか否かの情報、および前記利用者と前記画像表示器との距離の情報を所定間隔で取得し、
前記利用者が子どもであり、かつ所定間隔で取得した前記距離が所定値以下である間、前記画像案内を、表示領域が高さ方向で上部になるほど幅が広くなるように案内情報を変形させることを特徴とする画像案内装置。
【発明の詳細な説明】
【技術分野】
【０００１】
本発明は、エレベーター利用者に対して画像案内あるいは音声案内を行うエレベーター案内装置、ならびにエレベーター案内装置として適用される画像案内装置に関する。
【背景技術】
【０００２】
近年、エレベーター乗りかご内において、液晶表示器を標準的に実装するようになり、エレベーター乗りかごの階床表示のみならず、エレベーター利用者への案内手段として使用されている。また、液晶表示器は、子どもがエレベーターを利用した場合の案内手段としても注目されている。
【０００３】
液晶表示器などを使用して、エレベーター乗りかご内の子どもに対応した案内を行うエレベーター案内装置に関する従来技術として、特許文献１に記載の技術が知られている。本技術においては、乗り場あるいは乗りかご内に身長を検出する身長検出装置を設け、乗り場あるいは乗りかご内の主呼び登録装置が操作入力され、かつ身長検出装置が人体を検出しない場合に、利用者が子どもであると判断して、液晶表示器の漢字表示をひらがな表示やカタカナ表示に変更する。
【先行技術文献】
【特許文献】
【０００４】
【特許文献１】特開２０１２−５６６９０号公報
【発明の概要】
【発明が解決しようとする課題】
【０００５】
上記従来技術によれば、特許文献１においては、エレベーター利用者が子どもである場合、液晶表示器をひらがな表示やカタカナ表示とすることで、子どもにわかりやすい表示となる。しかし、上記従来技術においては、子どもがエレベーターに乗車してから降車までのこどものエレベーター利用について配慮がなされていないという問題がある。
【０００６】
そこで、本発明は、子どもが、乗車から降車までの間、エレベーターを円滑かつ安心し利用することを可能ならしめるエレベーター案内装置ならびに画像案内装置を提供する。
【課題を解決するための手段】
【０００７】
上記課題を解決するために、本発明によるエレベーター案内装置は、乗りかごに画像表示器または音声出力器を備え、エレベーター利用者に対する画像案内を画像表示器に表示し、またはエレベーター利用者に対する音声案内を音声出力器から出力するものであって、乗りかごの内部の画像を取得するカメラを備え、カメラによって取得される画像に基づいて、乗りかごに乗るエレベーター利用者が子どもであるかを判定し、子どもであると判定したら、画像案内または音声案内の少なくともいずれかを子ども用画像案内または子ども用音声案内に設定し、子どもの乗車から降車までの間、子ども用画像案内を画像表示器に表示し、または子ども用音声案内を音声出力器から出力する。
【０００８】
また、上記課題を解決するために、本発明による画像案内装置は、画像表示器を備え、画像表示器に画像案内を表示するものであって、画像表示器を閲覧する対象である利用者が子どもか否かの情報、および利用者と画像表示器との距離の情報を所定間隔で取得し、利用者が子どもであり、かつ所定間隔で取得した距離が所定値以下である間、画像案内を、表示領域が高さ方向で上部になるほど幅が広くなるように案内情報を変形させる。
【発明の効果】
【０００９】
本発明によるエレベーター案内装置によれば、子どもがエレベーターに乗車した場合に、子どもの乗車から降車までの間において、子ども用画像案内を画像表示器に表示し、子ども用音声案内を音声出力器から出力することにより、子どもが、乗車から降車までの間、エレベーターを円滑に、かつ安心して利用することができる。
【００１０】
また、本発明による画像案内装置よれば、子どもが案内情報を容易に理解することができる。
【００１１】
上記した以外の課題、構成および効果は、以下の実施形態の説明により明らかにされる。
【図面の簡単な説明】
【００１２】
【図１】本発明の一実施形態であるエレベーター装置の概略構成を示す。
【図２】乗りかご内において、かごドア側を見た正面図である。
【図３】乗りかご内の利用者を検出する手段を示す。
【図４】液晶表示器に表示される画像案内の一例を示す。
【図５】エレベーター案内装置の概略構成を示す機能ブロック図である。
【図６】利用者の判定処理動作を示すフローチャートである。
【図７】子ども専用ガイダンスモードにおける処理動作を示すフローチャートである。
【発明を実施するための形態】
【００１３】
以下、本発明の実施形態について、図面を用いて説明する。各図において、参照番号が同一のものは同一の構成要件あるいは類似の機能を備えた構成要件を示している。
【００１４】
図１は、本発明の一実施形態であり、エレベーター案内装置を備えるエレベーター装置の概略構成を示す。
【００１５】
図１に示すように、乗りかご１と釣り合いおもり５は、主ロープ８によって連結されている。主ロープ８がプーリ６およびシーブ７に巻き掛けられて、乗りかご１と釣り合いおもり５は、図示されない昇降路内に吊られている。シーブ７が取り付けられるモーター１０がエレベーター制御装置９によって回転制御されると、シーブ７が回転駆動される。シーブ７が回転すると、主ロープ８が摩擦駆動される。これにより、乗りかご１と釣り合いおもり５は、昇降路内を上下方向に昇降する。
【００１６】
乗りかご１は、図１中では左右に開閉するかごドア４を備えている。さらに、乗りかご１は、その内部に、乗りかご内に乗車するエレベーター利用者（以下、「利用者」と記す）の画像を取得するカメラ２と、行先階を登録したり、かごドアを開閉したりするなど、エレベーターを操作するための操作釦を備える操作盤３を備える。
【００１７】
なお、後述するように、本実施形態においては、カメラ２によって取得される画像に基づいて、乗りかご内に乗車する利用者が子ども（幼児、児童）であるか否かが判定される。そして、子どもであると判定されると、乗りかご内における画像案内や音声案内が、一般用から子ども用に切り替えられる。
【００１８】
また、乗りかご１とエレベーター制御装置９は、テールコード１１で接続されている。乗りかご１が備える各機器は、テールコード１１を介して、エレベーター制御装置９によって制御されたり、エレベーター制御装置９から電力を供給されたりする。
【００１９】
図２は、乗りかご１内において、かごドア４側を見た正面図である。図２に示すように、操作盤３は、乗りかご１内の利用者に対する画像案内を表示する液晶表示器３ａと、音声案内などを出力するスピーカー３ｂと、かご呼びを登録するための複数の行き先階釦３ｃを備えている。液晶表示器３ａは、乗りかごの位置情報も表示し、いわゆるＣＰＩ（Car Position Indicator）としても機能する。なお、操作盤３の構成およびかご内における位置は一般的な操作盤と同様である。従って、液晶表示器３ａは、子ども（幼児、児童）や車椅子利用者にとっては見上げるような高さに位置する。すなわち、子ども（幼児、児童）や車椅子使用者が液晶表示器３ａの表示画面を見る時の視線と乗りかごの床面との為す仰角は、一般青年および成人の同視線の仰角よりも大きい。
【００２０】
本実施形態では、後述するように、上述のような子どもの視線に配慮して画像案内が表示される。
【００２１】
なお、操作盤３は、操作釦として、行き先階釦のほか、ドア開閉釦や非常用呼び出し釦を備えていても良い。また、図２における操作盤３を主操作盤として、さらに、子どもや車椅子使用者用として、行き先階釦などの操作釦を備える副操作盤を、主操作盤よりも高さが低い位置に設けても良い。
【００２２】
図３は、本実施形態における、乗りかご内の利用者を検出する手段を示す。
【００２３】
本実施形態における案内装置は、次のように、利用者の頭身数に基づいて、利用者が子どもであるか否かを判定する。
【００２４】
利用者が乗りかご１内に乗り込んだ場合に、カメラ２によって利用者の画像データが取得される。取得された画像データを画像処理することによって、利用者の頭部と肩の部分の凹凸から肩の位置が求められる。さらに、図３に示すように、肩の位置から頭頂部までの距離Ａと、肩の位置からつま先部までの距離Ｂが抽出され、所定の数式「（Ｂ＋Ａ）／Ａ」を用いて、頭身数が演算される。そして、案内装置は、演算された頭身数が、予め記憶される子どもの頭身数の範囲内であれば、利用者が子どもであると判定し、範囲外であれば子どもではない、すなわち青年あるいは成人と判定する。後述するように、このような判定結果に応じて、画像案内や音声案内の形態（一般用、子ども用）が設定される。
【００２５】
図４は、液晶表示器３ａに表示される画像案内の一例を示す。なお、図中、左側が一般用、右側が子ども用である。
【００２６】
子ども用の画像案内では、案内情報（図３では文字情報）表示および背景表示も含めた四角形状の表示領域が、高さ方向で上部になるほど、幅が広い。すなわち、表示領域が、上辺（上底）が下辺（下底）よりも長い台形状である。表示領域の幅の変化に応じて、案内情報表示内容（図３では文字）も、一般用からデフォルメ（変形）されて子ども用としている。このような子ども用の画像案内により、一般青年および成人よりも身長が低い子どもが、一般青年および成人よりも大きな仰角で視線を向けて、表示画面を仰ぎ見る場合に、画像案内の視認性が向上する。
【００２７】
案内情報は、文字情報に限らず、絵や記号や図形など、様々な形態の情報が適用できる。
【００２８】
なお、図４では、比較ために、一般用の画像案内における文字情報を、子ども用と同様にかな文字（ひらがな、カタカナ）のみとしているが、漢字およびかな文字が混交していても良い。但し、子ども用としては、かな文字のみの文字情報が好ましい。この場合、カメラ画像に基づいて利用者が子どもであると判定され、液晶表示器に表示される画像案内が、一般用から子ども用に切り替わると、漢字およびかな文字混交の文字情報が、同じ意味・内容で、かな文字のみの文字情報に切り替わる。
【００２９】
図５は、本実施形態における、エレベーター案内装置の概略構成を示す機能ブロック図である。図５に示すエレベーター案内装置は、画像案内装置および音声案内装置として機能する。
【００３０】
処理装置２０は、カメラ２によって取得される乗りかご内の利用者の画像データを入力して取込み、取り込んだ画像データを画像処理して利用者が子どもであるか否かを判定する。処理装置２０は、子どもの利用者が検出されない限りは、常時、記憶装置２１に予め記憶されている一般用の案内情報（画像案内情報、音声案内情報）を取り出して、一般用の画像案内情報を液晶表示器３ａ（ＬＣＤ）によって画像表示するとともに、音声案内情報をスピーカー３ｂによって音声出力する。
【００３１】
また、処理装置２０は、利用者が子どもであると判定すると、案内情報を一般用から子ども用に切り替える。このとき、処理装置２０は、子どもが乗車してから降車するまでの間、記憶装置２１に予め記憶されている子ども用の案内情報（画像案内情報、音声案内情報）を取り出して、子ども用の画像案内情報を液晶表示器３ａ（ＬＣＤ）に画像表示するとともに、音声案内情報をスピーカー３ｂによって音声出力する。なお、処理装置２０は、子どもが降車した後、案内情報を子ども用から一般用に切り替える。
【００３２】
本実施形態においては、記憶装置２１は、子ども用の案内情報として図４（右側）に示したような子ども用の画像案内情報を予め記憶している。また、記憶装置２１は、子ども用として、一般用と同じ意味内容で、一般用よりも平易な表現用いた、子どもが聴いて理解し易い音声案内情報を予め記憶している。
【００３３】
ここで、子どもが液晶表示器３ａに向ける視線の仰角は、乗りかご内における子どもの位置によって異なる。そこで、子ども用の案内情報を液晶表示器３ａに表示する際の表示領域の寸法形状を、子どもの位置に応じて変更することより、乗りかご内において子どもの位置によらず、子どもの視認性が向上する。この場合、カメラ２によって、子どもおよび乗りかご床面全体の画像が取得される。処理装置２０は、この画像を画像処理することにより、乗りかご床面における子どもの位置を特定する。処理装置２０は、特定された子どもの位置に応じて、予め記憶装置２１に記憶される基準とする子ども用の画像案内情報あるいは一般用の画像案内情報の表示形状を変形して、変形された画像案内情報を液晶表示器３ａによって画像表示する。例えば、図４に示す画像案内情報であれば、一般用における矩形形状、あるいは子ども用における台形形状の上辺と下辺の比率が、子どもの位置に応じて変更される。
【００３４】
なお、処理装置２０は、カメラ２の画像に基づいて、液晶表示器３ａと子供との距離を求め、このような距離情報に応じて画像案内情報の表示形状を変形しても良い。この場合、処理装置２０は、エレベーター利用者が乗車してから降車するまでの間、所定の時間間隔で、液晶表示器３ａを閲覧するエレベーター利用者が子でもであるか否かの情報、および前述の距離情報を取得し、これらの情報に基づいて、エレベーター利用者が子どもであり、かつ液晶表示器３ａと子どもとの距離が予め設定される所定値以下である間、表示形状を変形する。
【００３５】
また、子どもが液晶表示器３ａに向ける視線の仰角は、乗りかご内における子どもの身長によっても異なる。そこで、カメラ２によって取得される子どもの画像を画像処理することにより、子どもの身長を特定する。処理装置２０は、特定された身長に応じて、予め記憶装置２１に記憶される基準とする子ども用の画像案内情報あるいは一般用の画像案内情報の表示形状を同様に変形する。これにより、乗りかご内において子どもの身長によらず、子どもの視認性が向上する。
【００３６】
なお、本実施形態において、処理装置２０は、マイクロコンピュータなどの演算処理装置から構成され、所定のプログラムを実行して処理動作を行うことにより、上述のようなエレベーター案内装置として機能する。また、記憶装置２１は、半導体メモリなどによって構成される。このようなエレベーター案内装置は、エレベーター制御装置に組み込まれたり、乗りかご１に搭載されたりする。また、処理装置２０は、処理動作において、エレベーター制御装置９などからエレベーター運転情報（呼び登録、走行および停止、ドア開閉など）を適宜受信して用いても良い。
【００３７】
次に、エレベーター案内装置における処理装置２０の処理動作について、図６および図７を用いて詳細に説明する。なお、図５，６において、「ガイダンス」という表記は、「案内」と同意である。
【００３８】
図６は、処理装置２０による利用者の判定処理動作を示すフローチャートである。
【００３９】
ステップＳ１０１にて、乗りかご１内に利用者がいないか、すなわち無人であるかを、カメラ２によって取得される画像に基づいて判定する。例えば、取得された画像と、予め記憶装置２１に記憶される無人状態における乗りかご１内の画像とを比較することにより、無人であるか否かを判定できる。無人ではないと判定すると（Ｓ１０１のＮ）、ステップＳ１０２に進み、無人になるまで、エレベーターは、通常の運転を行い、無人になった場合にステップＳ１０１に戻る。
【００４０】
ステップＳ１０１にて無人であると判定した場合（Ｓ１０１のＹ）、ステップＳ１０３に進み、利用者が乗り場の呼び釦（図示せず）を押したかを判定する。押していないと判定される場合（Ｓ１０３のＮ）、ステップＳ１０４に進み、エレベーターは無人のまま待機する。利用者が乗場の呼び釦を押したと判定される場合（Ｓ１０３のＹ）は、ステップＳ１０５に進み、エレベーターは利用者の呼び登録に応じて乗り場呼び登録階に到着し、かごドア４（扉）が開く。かごドア４が開いた後、ステップＳ１０６に進み、利用者が乗りかご１へ乗り込むと、カメラ２によって利用者の乗りこみが検知される。
【００４１】
次に、ステップＳ１０７では、カメラ２によって取得される利用者の画像に基づいて、画像処理によって、利用者の身長および頭身数を解析する。利用者の身長を解析する手段としては、公知の画像処理技術が適用できる。また、カメラ２として、ステレオカメラを用いれば、利用者の三次元情報が得られるので、身長を高精度で解析できる。
【００４２】
次に、ステップＳ１０８では、身長が所定の一定値以下であるかを判定する。ここで、所定の値とは、利用者が子どもであることを判定するための基準となる身長の値である。一定値ではない（すなわち、一定値よりも大きい）と判定される場合（Ｓ１０８のＮ）、ステップＳ１１３に進み、利用者に大人がいると判定し、さらに、ステップＳ１１４に進んで、一般用の案内情報を用いる通常のガイダンスを継続する。身長が一定値以下であると判定する場合（Ｓ１０８のＹ）、ステップＳ１０９に進む。
【００４３】
ステップＳ１０９では、頭身数が一定値以下であるかを判定する。ここで、子どもの頭身数は、年齢によって異なるものの、一般的に、５頭身以下である。そこで、本実施形態では、ステップＳ１０９において判定基準とする頭身数の一定値を５頭身とする。カメラ画像から解析される頭身数が５頭身を超える場合（Ｓ１０９のＮ）、ステップＳ１１３に進み、利用者に大人がいると判定し、さらに、ステップＳ１１４に進んで、一般用の案内情報を用いる通常のガイダンスを継続する。５頭身以下と判定される場合（Ｓ１０９のＹ）、ステップＳ１１０に進む。
【００４４】
ステップＳ１１０では、取得されたカメラ画像に基づいて、子どもと判定された利用者以外の他の利用者が乗りかご１に乗り込んだかを判定する。他の利用者がいると判定される場合（Ｓ１１０のＹ）、ステップＳ１０７に戻り、以降の処理を再度実行して、他の利用者についても、子どもであるか否かを判定する。他の利用者がいないと判定される場合（Ｓ１１０のＮ）、ステップＳ１１１に進み、乗りかご１内の利用者は子どものみであると判定して、さらに、ステップＳ１１２に進んで、子ども用の案内情報を用いる子ども専用ガイダンスモードを実行する。
【００４５】
図７は、エレベーター案内装置における処理装置２０の子ども専用ガイダンスモードにおける処理動作を示すフローチャートである。
【００４６】
まず、ステップＳ２０１にて、子ども専用ガイダンスモードを開始する。
【００４７】
次に、ステップＳ２０２にて、液晶表示器３ａに画像表示する文字情報（表示文章）を、ひらがなおよびカタカナに変換するとともに、
次に、ステップＳ２０３にて、文字のフォントを図４に示したように一般用からデフォルメされたものに変換する。これらの文字変換は、本実施形態では、前述したように、文字情報を一般用から子ども用に切り替えることにより実行される。これにより、身長の低い子どもによる液晶表示器３ａの視認性が向上する。すなわち、画像表示される文字情報が、子どもにとって見易くなり、かつ分かり易くなる。
【００４８】
次に、ステップＳ２０４にて、子どもが乗車してからドアが閉まるまでの間、乗車時の案内を行う。例えば、「よいこのみんなに、ひらがなであんないするよ」という子ども用の平易な表現の案内を、平がなのみの文字情報として液晶表示器３ａに画像表示すると共に、音声情報としてスピーカー３ｂによって音声アナウンスする。これにより、子どもの注意をひきつける。このとき、液晶表示器３ａに、あわせ絵などを同時に画像表示してもよい。
【００４９】
次に、ステップＳ２０５にて、行き先階釦３ｃが押されて、行先階呼びが登録されたかを判定する。登録されていないと判定される場合（Ｓ２０５のＮ）、ステップＳ２０６に進む。ステップＳ２０６では、行き先である目的階の行き先階釦３ｃを押すことを促す案内を行う。例えば、ステップＳ２０４と同様に液晶表示器３ａおよびスピーカー３ｂを用いて、「ゆきたいかいの、すうじのぼたんをおしてね」のような平易な案内を、画像表示すると共に音声アナウンスする。ステップＳ２０６が実行されたら、ステップＳ２０５に戻る。また、行先階呼びが登録されたと判定される場合（Ｓ２０５）、ステップＳ２０７に進む。
【００５０】
ステップＳ２０７において、エレベーターは、行き先階呼びが登録された目的階に移動する。このとき、次のステップＳ２０８のように、目的階への移動中に、エレベーターを降車する際の注意喚起を行うための案内を行う。例えば、ステップＳ２０４と同様に液晶表示器３ａおよびスピーカー３ｂを用いて、「あしもとにちゅういして、おりてね」のような平易な案内を、画像表示すると共に音声アナウンスする。
【００５１】
ステップＳ２０８にて注意喚起後、次のステップＳ２０９のように、エレベーターは目的階に到着し、かごドア４が開く。かごドア４が開いた後、ステップＳ２１０に進む。
【００５２】
ステップＳ２１０では、子どもが液晶表示器３ａの画面を注視しているかを判定する。この判定は、カメラ２で取得される画像を画像処理することにより、子どもの視線の向きあるいは顔の向きを検出し、検出された向きが液晶表示器３ａを向いていれば注視しているとし、向いていなければ注視していないとする。なお、視線の向きは、例えば、目の各部（目頭（基準点）、虹彩）の位置関係に基づいて検出される。注視していると判定される場合（Ｓ２１０のＹ）、ステップＳ２１２に進み、案内情報を一般用に切り替えるまでの時間を延長して、ステップＳ２０８における子ども用降車案内の画像表示を継続する。そして、ステップＳ２１０に戻る。また、子どもが液晶表示器３ａの画面を注視していないと判定される場合（Ｓ２１０のＮ）、ステップＳ２１１に進む。
【００５３】
ステップＳ２１１では、子どもがエレベーターを降車したかを判定する。降車していないと判定される場合（Ｓ２１１のＮ）、前述のステップＳ２１２に進むとともに、降車を待つ。また、子どもが降車したと判定される場合（Ｓ２１１のＹ）、ステップＳ２１３に進み、子ども専用ガイダンスモードを終了する。
【００５４】
上述のように、本実施形態によれば、子どもがエレベーターに乗車した場合に、子どもの乗車から降車までの間において、子ども用画像案内を、液晶表示器すなわち画像表示器に表示し、子ども用音声案内を、スピーカーすなわち音声出力器から出力することにより、子どもが案内情報を容易に理解できる。従って、子どもが、乗車から降車までの間、エレベーターを円滑に、かつ安心して利用することができる。
【００５５】
また、本実施形態では、乗りかごに乗る利用者が子どものみである場合に、子ども用の案内情報が設定されるので、子どもにとっての安心度が向上するととともに、成人または青年が同乗する場合に、成人または青年の同乗者が、子どもに対する過度なサービスであるとの懸念をいだくことがないようにすることができる。なお、子どもにとっての優しさを重視する場合などにおいては、成人または青年が同乗している場合でも、子ども用の案内情報を設定しても良い。
【００５６】
また、本実施形態のエレベーター案内装置は、画像案内装置として機能するが、液晶表示器すなわち画像表示器に表示される画像案内の表示領域が高さ方向で上部になるほど幅が広く、表示領域の幅の変化に応じて、文字情報などの案内情報が変形されている。これにより、子どもが画像表示器を見上げる時の視認性が向上する。なお、このような画像案内は、子どもに限らず、車椅子利用者など、立っている一般成人や青年よりも目線が低い低視線者が画像表示器を見上げる時の視認性も向上することができる。
【００５７】
なお、本発明は前述した実施形態に限定されるものではなく、様々な変形例が含まれる。例えば、前述した実施形態は本発明を分かりやすく説明するために詳細に説明したものであり、必ずしも説明した全ての構成を備えるものに限定されるものではない。また、各実施形態の構成の一部について、他の構成の追加・削除・置き換えをすることが可能である。
【符号の説明】
【００５８】
１…乗りかご
２…カメラ
３…操作盤
３ａ…液晶表示器
３ｂ…スピーカー
３ｃ…行き先階釦
４…かごドア
５…釣り合いおもり
６…プーリ
７…シーブ
８…主ロープ
９…エレベーター制御装置
１０…モーター
１１…テールコード
２０…処理装置
２１…記憶装置
【図１】
2018100159.tif 000003
【図２】
2018100159.tif 000004
【図３】
2018100159.tif 000005
【図４】
2018100159.tif 000006
【図５】
2018100159.tif 000007
【図６】
2018100159.tif 000008
【図７】
2018100159.tif 000009